(57)【要約】【課題】横軸ポンプが内蔵されているポンプケーシングをポンプケーシング被着体に対して着脱する作業性を、きわめて簡単な構造により向上させることができる横軸排水ポンプ装置を提供する。【解決手段】横軸ポンプ５を内蔵しているポンプケーシング６の先端吸込口６Ａ側に角形鍔状に張り出す係止部１０を設け、止水ゲート扉体（ポンプケーシング被着体）３の外水域２に臨む面には、係止部１０の係脱が可能な縦方向にのびて横方向で対向する係合溝１１，１１を設ける。そして、係止部１０を係合溝１１，１１に係合した状態で、ポンプケーシング６を下降させることで、該ポンプケーシング６を止水ゲート扉体３に装着し、この状態でポンプケーシング６を上昇させることで、止水ゲート扉体３から取り外す。【選択図】　　　　図２
2004027878.tif 000002
【特許請求の範囲】
【請求項１】
横軸方向の両端部を開口したポンプケーシングと、このポンプケーシングに内蔵された横軸ポンプと、前記ポンプケーシングが装着されるポンプケーシング被着体とを備えた横軸排水ポンプ装置において、前記ポンプケーシングに外側に張り出す係止部が設けられ、前記ポンプケーシング被着体に前記係止部の係脱が可能な縦方向にのびる係合溝が設けられていることを特徴とする横軸排水ポンプ装置。
【発明の詳細な説明】
【０００１】
【発明の属する技術分野】
本発明は、たとえばポンプゲートへの適用に好適な横軸排水ポンプ装置に関する。
【０００２】
【従来の技術】
従来より、図７に示すように、内水域１と外水域２の境界部にコンクリート製のゲート脚４を立設し、このゲート脚４の下端部に開口した呑口４Ａが開閉される止水ゲート扉体３を昇降可能に設け、この止水ゲート扉体３に、たとえばアウターロータ型横軸水中ポンプによってなる横軸ポンプ５がポンプケーシング６を介して装着されたポンプゲートが知られている。
【０００３】
横軸ポンプ５は、横軸方向の両端部を開口したポンプケーシング６に内蔵されており、このポンプケーシング６が止水ゲート扉体３の厚さ方向に設けた貫通孔３Ａに挿脱可能に嵌合され、かつ図示していない複数本のボルトにより着脱可能に締結固定した状態で止水ゲート扉体３に装着されている。そして、ポンプケーシング６の先端吸込口６Ａは内水域１に臨ませ、後端吐出口６Ｂを外水域２に臨ませるとともに、内水域１から外水域２への水の流れを許容し、かつ外水域２から内水域１への水の流れ（逆流）を止めるように開閉するフラップ弁７を取付けてある。
【０００４】
すなわち、横軸方向の両端部６Ａ，６Ｂを開口したポンプケーシング６と、このポンプケーシング６に収容された横軸ポンプ５と、ポンプケーシング６が装着される止水ゲート扉体３（ポンプケーシング被着体）とを備えた横軸排水ポンプ装置８をポンプゲートに適用したものである。
【０００５】
この種のポンプゲートによれば、上側に設けた開閉手段（図示省略）により、スピンドル９，９を介して止水ゲート扉体３を下降させた呑口４Ａの全閉状態で横軸ポンプ５を運転することにより、内水域１の水は、ポンプケーシング６の吸込口６Ａから吸込まれ、その水圧によりフラップ弁７を押し開けて外水域２に吐出（排水）される。また、止水ゲート扉体３による呑口４Ａの全閉状態で横軸ポンプ５の運転を停止すると、内水域１から外水域２への排水が停止されるとともに、フラップ弁７はその自重と外水域２の水圧との複合的な作用で自動的に閉じられ、外水域２の水位が内水域１の水位より高くても、外水域２から内水域１への逆流を防止できる。さらに、内水域１の水位が外水域２の水位より高い場合には、図示していない開閉手段によりスピンドル９，９を介して止水ゲート扉体３を吊り上げて、呑口４Ａを全開することによって、内水域１の水を外水域２Ｂに自然流下（自然排水）させることができる。
【０００６】
【発明が解決しようとする課題】
ところで、前記従来の横軸排水ポンプ装置８を適用したポンプゲートでは、たとえば横軸ポンプ５のメンテナンスなどに際して、止水ゲート扉体３からポンプケーシング６を取り外す場合には、前記図示していない複数本のボルトによるポンプケーシング６の締結固定を解除する煩雑な取り外し作業が必要であり、メンテナンス後においてポンプケーシング６を止水ゲート扉体３に装着する場合には、前記複数本のボルトによりポンプケーシング６を締結固定する煩雑な装着作業が必要である。つまり、横軸ポンプ５のメンテナンスなどに際して、横軸ポンプ５を内蔵しているポンプケーシング６の着脱作業性が非常に悪く、緊急時などにおける迅速な対応が困難である欠点を有している。
【０００７】
そこで、前記の欠点を解消して、横軸ポンプを内蔵しているポンプケーシングの着脱作業性を向上させたゲートポンプが提案されている（特開２００１−３４２９９９号公報）。この種のゲートポンプによれば、複数本のボルトによるポンプケーシングの締結固定を解除する煩雑な取り外し作業および複数本のボルトによりポンプケーシングを締結固定する煩雑な装着作業が不要になるので、横軸ポンプを内蔵しているポンプケーシングの着脱作業性を向上させて、緊急時などにおける迅速な対応を期待することができる。
【０００８】
ところが、吐出ケーシング（ポンプケーシング）の上部に着脱フックを嵌着し、着脱フックの左右に外側に案内部を形成した一対のブラケットを後方に突出させ、この一対のブラケットに係止杆を支持させるとともに、水平状に開口した着脱スタンドを止水ゲートに支架し、着脱スタンドの上部両側に前記案内部を挟持させる一対のガイド杆を立設し、これらガイド杆の間に前記係止杆を係止させる保持部を設けているので、構造が複雑で製作困難であるため、イニシャルコスト高を招く欠点を有している。
【０００９】
本発明は、このような事情に鑑みてなされたもので、横軸ポンプが内蔵されているポンプケーシングをポンプケーシング被着体に対して着脱する作業性を、きわめて簡単な構造により向上させることができる横軸排水ポンプ装置を提供することを目的としている。
【００１０】
【課題を解決するための手段】
前記目的を達成するために、本発明に係る横軸排水ポンプ装置は、横軸方向の両端部を開口したポンプケーシングと、このポンプケーシングに内蔵された横軸ポンプと、前記ポンプケーシングが装着されるポンプケーシング被着体とを備えた横軸排水ポンプ装置において、前記ポンプケーシングに外側に張り出す係止部が設けられ、前記ポンプケーシング被着体に前記係止部の係脱が可能な縦方向にのびる係合溝が設けられていることを特徴としている。
【００１１】
本発明によれば、ポンプケーシングに設けた係止部をポンプケーシング被着体に設けた係合溝に係合した状態で、ポンプケーシングを下降させることで、横軸ポンプが内蔵されているポンプケーシングをポンプケーシング被着体に装着することができる。
また、前記係合溝に前記係止部が係合して、前記ポンプケーシングがポンプケーシング被着体に装着されている状態で、ポンプケーシングを上昇させることで、該ポンプケーシングをポンプケーシング被着体から取り外すことができる。
【００１２】
【発明の実施の形態】
以下、本発明の実施の形態を図面に基づいて説明する。図１は本発明をポンプゲートに適用した一実施の形態を示す縦断側面図、図２は止水ゲート扉体と横軸ポンプを内蔵したポンプケーシングとの分解状態を示す斜視図である。なお、前記図７の従来例と同一もしくは相当部分には、同一符号を付して重複する構造および作用の説明は省略する。
【００１３】
図１および図２において、横軸ポンプ５を内蔵しているポンプケーシング６の先端吸込口６Ａ側に角形鍔状に張り出す係止部１０が設けられ、止水ゲート扉体（ポンプケーシング被着体）３の外水域２に臨む面には、係止部１０の係脱が可能な縦方向にのびて横方向で対向する係合溝１１，１１を設けてある。
【００１４】
すなわち、角形鍔状の係止部１０の外寸法と肉厚は、前記係合溝１１，１１に昇降可能に嵌合し得る値に形成され、ポンプケーシング６は、その先端吸込口６Ａ側を係止部１０に設けた貫通孔１０Ａに水密に嵌合して、該先端吸込口６Ａを係止部１０の裏側に開口させてある。したがって、図２のように、角形鍔状の係止部１０の幅方向の両端部を係合溝１１，１１の上端部に対応させたのち、ポンプケーシング６を下降させることで、係止部１０の幅方向の両端部が係合溝１１，１１に嵌合されることにより、ポンプケーシング６は、図１のように、先端吸込口６Ａが止水ゲート扉体３の貫通孔３Ａに通水可能に合致した状態で該止水ゲート扉体３に装着される。
【００１５】
角形鍔状の係止部１０における幅方向の両端部には、上下方向の間隔を隔ててクサビ体１２，１２が設けられているので、これらクサビ体１２，１２が図３のように係合溝１１，１１の内面に干渉して、ポンプケーシング６の先端吸込口６Ａを止水ゲート扉体３の方向に押圧する。したがって、ポンプケーシング６の先端吸込口６Ａと止水ゲート扉体３との通水可能な水密性、詳しくは、先端吸込口６Ａとこれに合致する貫通孔３Ａとの間の通水可能な水密性を高めることができる。なお、図４に示すように、角形鍔状の係止部１０における幅方向の両端部（ただし、図４には係止部１０における幅方向の一端部のみが示されている）と、係合溝１１の両者を下向きに漸次細くなるクサビ状に形成しても、先端吸込口６Ａと貫通孔３Ａとの間の通水可能な水密性を高めることができる。
【００１６】
このように、ポンプケーシング６に設けた係止部１０の幅方向の両端部を止水ゲート扉体３に設けた係合溝１１，１１に上側から係合した状態で下降させることにより、横軸ポンプ５が内蔵されているポンプケーシング６を容易に止水ゲート扉体３に装着することができるばかりか、この状態でポンプケーシング６を吊り上げることで、横軸ポンプ５が内蔵されているポンプケーシング６を容易に止水ゲート扉体３から取り外すことができる。したがって、たとえば横軸ポンプ５のメンテナンスなどに際して、横軸ポンプ５を内蔵しているポンプケーシング６の着脱作業性を向上させて、緊急時などにおいて迅速に対応させることができるとともに、構造が簡単で製作容易であるため、イニシャルコストを低減することが可能になる。
【００１７】
なお、前記実施の形態では、止水ゲート扉体３の止水面が上流側である正圧止水ゲートで説明しているが、図５に示すように、止水ゲート扉体３の止水面が下流側である逆圧止水ゲートにも適用可能である。また、図６に示すように、横軸ポンプ５（ただし、図５には図示されていない）が内蔵されているポンプケーシング６の軸方向中央部付近に角形鍔状の係止部１０を設け、この係止部１０の幅方向両端部を水路１３の側壁に形成した係合溝１１，１１に係脱させることでポンプケーシング６を水路（ポンプケーシング被着体）１３に着脱することもできる。
【００１８】
【発明の効果】
以上説明したように、本発明に係る横軸排水ポンプ装置は構成されているので、以下のような格別の効果を奏する。
【００１９】
すなわち、横軸ポンプが内蔵されているポンプケーシングに設けた係止部をポンプケーシング被着体に設けた係合溝に上側から係合した状態で下降させることにより、前記ポンプケーシングを容易にポンプケーシング被着体に装着することができるばかりか、この状態でポンプケーシングを吊り上げることで、該ポンプケーシングを容易にポンプケーシング被着体から取り外すことができる。したがって、たとえば横軸ポンプのメンテナンスなどに際して、該横軸ポンプを内蔵しているポンプケーシングの着脱作業性を向上させて、緊急時などにおいて迅速に対応させることができるとともに、構造が簡単で製作容易であるため、イニシャルコストを低減することが可能になる。
【図面の簡単な説明】
【図１】本発明をポンプゲートに適用した一実施の形態を示す縦断側面図である。
【図２】止水ゲート扉体とポンプケーシングとの分解状態を示す斜視図である。
【図３】止水構造の一例を部分的に示す縦断側面図である。
【図４】止水構造の他の例を部分的に示す縦断側面図である。
【図５】本発明の第２実施の形態を示す縦断側面図である。
【図６】本発明の第３実施の形態を示す斜視図である。
【図７】従来例の縦断側面図である。
【符号の説明】
３　止水ゲート扉体（ポンプケーシング被着体）
５　横軸ポンプ
８　横軸排水ポンプ装置
１０　係止部
１１　係合溝
１３　水路（ポンプケーシング被着体）
Ｔ　厚さ
ｗ１　幅方向の間隔
【図１】
2004027878.tif 000003
【図２】
2004027878.tif 000004
【図３】
2004027878.tif 000005
【図４】
2004027878.tif 000006
【図５】
2004027878.tif 000007
【図６】
2004027878.tif 000008
【図７】
2004027878.tif 000009